(57)【特許請求の範囲】
【請求項１】
複数の節電モードのうち所望のモードを空気調和装置へ実行指示する空気調和装置のリモコンであって、
上記複数の節電モードが記憶された記憶部（37）と、
ユーザーによって上記記憶部（37）の複数の節電モードのうち１つが選択されて記憶される選択部（38）と、
ユーザーが押すことで、上記選択部（38）で記憶された節電モードが空気調和装置へ実行指示される操作部（42a）と、
上記空気調和装置の運転状態を示す基本画面を含んだ複数の画面を切り換えて表示する表示部（41）と
を備え、
上記操作部（42a）の実行指示機能は、上記表示部（41）に上記基本画面が表示されているときに有効となる
ことを特徴とする空気調和装置のリモコン。
【請求項２】
請求項１において、
上記記憶部（37）には、上記空気調和装置の定格消費電力にデマンド率を乗じて得られる上限電力以下に上記空気調和装置の消費電力を制限しつつ、室内気温がユーザーによって設定された設定温度となるように空調能力を調節する第１制限動作が行われる第１節電モードが記憶され、
上記第１節電モードは、上記デマンド率がユーザーによる設定行為によってのみ変更され、
上記記憶部（37）には、更に、上記空気調和装置の定格消費電力にデマンド率を乗じて得られる上限電力以下に上記空気調和装置の消費電力を制限しつつ、上記室内気温と上記設定温度とに基づいて空調能力を調節する第２制限動作が行われる第２節電モードが記憶され、
上記第２節電モードは、上記デマンド率に基づいて目標温度差を設定し、任意の日に行われた上記第２制限動作中の上記室内気温及び上記設定温度の差の最大値を求め、その最大値と上記目標温度差との差に基づいてその翌日に行う上記第２制限動作で用いる上記デマンド率を調節する学習動作が繰り返し行われる
ことを特徴とする空気調和装置のリモコン。
【発明の詳細な説明】
【技術分野】
【０００１】
本発明は、空気調和装置のリモコンの操作性の向上対策に関するものである。
【背景技術】
【０００２】
従来より、節約モードを備えた空気調和装置が知られている。例えば特許文献１に開示されている空気調和装置は、節約モードとして２種類のモード（本気節約モード、らくらく節約モード）を備えており、リモコンに設けられた節約設定ボタンを押すたびに２つの節約モードが交互に切り替わるようになっている。また、節約設定ボタンを長押しすることで、節約モードが解除される。
【先行技術文献】
【特許文献】
【０００３】
【特許文献１】特開２００９−２７０７６４号公報
【発明の概要】
【発明が解決しようとする課題】
【０００４】
ところが、上記特許文献１の空気調和装置では、２つの節約モードのうち一方のモードについては節約設定ボタンを２回押さないと実行されないため、操作が煩わしいという問題があった。
【０００５】
本発明は、かかる点に鑑みてなされたものであり、その目的は、複数の節電モードを有する空気調和装置のリモコンにおいて操作性を向上させることにある。
【課題を解決するための手段】
【０００６】
第１の発明は、複数の節電モードのうち所望のモードを空気調和装置へ実行指示する空気調和装置のリモコンを対象としている。そして、本発明は、上記複数の節電モードが記憶された記憶部（37）と、ユーザーによって上記記憶部（37）の複数の節電モードのうち１つが選択されて記憶される選択部（38）と、ユーザーが押すことで、上記選択部（38）で記憶された節電モードが空気調和装置へ実行指示される操作部（42a）と、上記空気調和装置の運転状態を示す基本画面を含んだ複数の画面を切り換えて表示する表示部（41）を備えている。そして、上記操作部（42a）の実行指示機能は、上記表示部（41）に上記基本画面が表示されているときに有効となる。
【０００７】
上記第１の発明では、運転前に、ユーザーによって複数の節電モードの中から１つが選択される。この選択された節電モードは記憶される。そして、ユーザーは操作部（42a）を１回押すだけで、予めユーザーによって選択されて記憶された節電モードが実行指示される。そして、上記第１の発明では、表示部（41）に図２に示すような基本画面が表示されているときにおいて、操作部（42a）が押されることで、予めユーザーによって選択されて記憶された節電モードが実行指示される。つまり、表示部（41）に基本画面以外の画面が表示されているときは、操作部（42a）を押しても節電モードは実行指示されない。
【０００８】
第２の発明は、上記第１の発明において、上記記憶部（37）には、上記空気調和装置の定格消費電力にデマンド率を乗じて得られる上限電力以下に上記空気調和装置の消費電力を制限しつつ、室内気温がユーザーによって設定された設定温度となるように空調能力を調節する第１制限動作が行われる第１節電モードが記憶されている。上記第１節電モードは、上記デマンド率がユーザーによる設定行為によってのみ変更されるモードである。そして、記憶部（37）には、更に、上記空気調和装置の定格消費電力にデマンド率を乗じて得られる上限電力以下に上記空気調和装置の消費電力を制限しつつ、上記室内気温と上記設定温度とに基づいて空調能力を調整する第２制限動作が行われる第２節電モードが記憶される。上記第２節電モードは、上記デマンド率に基づいて目標温度差を設定し、任意の日に行われた上記第２制限動作中の上記室内気温及び上記設定温度の差の最大値を求め、その最大値と上記目標温度差との差に基づいてその翌日に行う上記第２制限動作で用いる上記デマンド率を調節する学習動作が繰り返し行われるモードである。
【０００９】
上記第２の発明では、所定のデマンド動作が行われる第１節電モードおよび第２節電モードが記憶部（37）に記憶されている。第１節電モードにおいて、デマンド率はユーザーが設定変更しない限り値が変更されない。第２節電モードにおいて、デマンド率は日々の運転結果に基づいて自動的に調節される。
【発明の効果】
【００１０】
以上説明したように、本発明によれば、複数の節電モードが記憶された記憶部（37）と、ユーザーによって記憶部（37）の複数の節電モードのうち１つが選択されて記憶される選択部（38）と、ユーザーが押すことで、選択部（38）で記憶された節電モードが空気調和装置へ実行指示される操作部（42a）とを備えるようにした。そのため、ユーザーは所望の節電モードを１回選択しておけば、それ以降は、操作部（42a）を１回押すだけで所望の節電モードを実行させることができる。したがって、運転を行うたびにボタンを複数回押さなければならない従来に比べて、煩わしさを軽減することができる。その結果、節電モードを選択して実行させる際の操作性が向上する。
【図面の簡単な説明】
【００１１】
【図１】図１は、実施形態に係る空気調和装置の冷媒回路図である。
【図２】図２は、実施形態に係るリモコンの正面図である。
【図３】図３は、実施形態に係るリモコンの正面図である。
【図４】図４は、実施形態に係るリモコンの正面図である。
【図５】図５（Ａ）、（Ｂ）は、一日における消費電力の推移を示すグラフである。
【発明を実施するための形態】
【００１２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１３】
図１に示すように、本実施形態の空気調和装置（10）は、室外ユニット（11）と、室内ユニット（12）と、制御器（30）とを備えている。室外ユニット（11）と室内ユニット（12）は、液側連絡配管（13）およびガス側連絡配管（14）を介して互いに接続されている。空気調和装置（10）では、室外ユニット（11）、室内ユニット（12）、液側連絡配管（13）およびガス側連絡配管（14）によって、冷媒回路（20）が形成されている。制御器（30）については後述する。
【００１４】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）および膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００１５】
冷媒回路（20）は、冷媒が充填された閉回路である。冷媒回路（20）において、圧縮機（21）は、その吐出側が四方切換弁（22）の第１のポートに、その吸入側が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。
【００１６】
圧縮機（21）は、スクロール型またはロータリ型の全密閉型圧縮機である。圧縮機（21）は、その回転速度が可変となっている。具体的に、圧縮機（21）の電動機は、インバータを介して商用電源に接続している。インバータの出力周波数を変更すると、電動機の回転速度が変化し、その結果、圧縮機（21）の回転速度が変化する。そして、圧縮機（21）の回転速度を上昇させると圧縮機（21）の運転容量が増加し、圧縮機（21）の回転速度を低下させる圧縮機（21）の運転容量が減少する。
【００１７】
四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。室外熱交換器（23）および室内熱交換器（25）は、いわゆるクロスフィン型の熱交換器である。室外熱交換器（23）は、室外空気を冷媒と熱交換させる。室内熱交換器（25）は、室内空気を冷媒と熱交換させる。膨張弁（24）は、いわゆる電子膨張弁である。
【００１８】
制御器（30）は、空気調和装置（10）の運転制御を行う。制御器（30）は、室外制御部（31）と、室内制御部（32）と、リモコン（33）とを備えている。リモコン（33）は、リモートコントローラの略称である。室外制御部（31）と室内制御部（32）とリモコン（33）とは、配線を介して互いに電気的に接続されている。室外制御部（31）は、室外ユニット（11）に収容され、圧縮機（21）、四方切換弁（22）、膨張弁（24）および室外ファン（15）の動作を制御する。一方、室内制御部（32）は、室内ユニット（12）に収容され、室内ファン（16）の動作を制御する。
【００１９】
室内制御部（32）には、吸込温度センサ（35）の計測値が入力されている。吸込温度センサ（35）は、室内ユニット（12）における室内熱交換器（25）の上流側に設けられ、室内ユニット（12）へ吸い込まれた空気の温度を計測する。吸込温度センサ（35）の計測値は、室内気温と実質的に等しい。
【００２０】
リモコン（33）には、リモコン制御部（36）が内蔵されている。リモコン制御部（36）には、記憶部（37）と、選択部（38）と、指示部（39）とが設けられている。記憶部（37）は、予め複数（本実施形態では、第１節電モードおよび第２節電モードの２つ）の節電モードが記憶されている。選択部（38）は、ユーザーによって記憶部（37）の複数の節電モードのうち１つが選択されて記憶される。指示部（39）は、後述するカーソルボタン（42）の左ボタン（42a）が押されることによって、選択部（38）に記憶された１つの節電モードを実行するよう室内制御部（32）へ指示する。
【００２１】
また、リモコン（33）には、図２に示すように、設定温度等の情報を表示するための液晶表示部（41）が設けられている。液晶表示部（41）は、リモコン（33）の前面の上半分に配置されている。リモコン（33）の前面の下半分には、ユーザーが操作する各種のボタン（42〜47）が配置されている。具体的に、リモコン（33）では、その幅方向の中央部にドーナツ状のカーソルボタン（42）が配置され、カーソルボタン（42）の内側にメニュー／確定ボタン（43）が配置されている。また、カーソルボタン（42）の周囲には、運転／停止ボタン（44）と、キャンセルボタン（45）と、風量／風向ボタン（46）と、運転切換ボタン（47）とが配置されている。カーソルボタン（42）は、左ボタン（42a）、右ボタン（42b）、上ボタン（42c）および下ボタン（42d）の４つに区分されている。本実施形態において、左ボタン（42a）は節電ボタンを兼ねており本発明に係る操作部を構成している。所定の状態で左ボタン（42a）を１回押すことによって、上述したように指示部（39）から所望の節電モードが室内制御部（32）へ実行指示される。
【００２２】
−空気調和装置の運転動作−
空気調和装置（10）は、冷房運転と、暖房運転と、除霜運転とを行う。
【００２３】
〈冷房運転〉
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から吐出された冷媒が、室外空気へ放熱して凝縮する。一方、室内熱交換器（25）では、膨張弁（24）を通過する際に膨張した冷媒が、室内空気から吸熱して蒸発する。室内ユニット（12）は、吸い込んだ室内空気を室内熱交換器（25）へ供給し、室内熱交換器（25）において冷却された空気を室内へ吹き出す。
【００２４】
〈暖房運転〉
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室内熱交換器（25）では、圧縮機（21）から吐出された冷媒が、室内空気へ放熱して凝縮する。室内ユニット（12）は、吸い込んだ室内空気を室内熱交換器（25）へ供給し、室内熱交換器（25）において加熱された空気を室内へ吹き出す。一方、室外熱交換器（23）では、膨張弁（24）を通過する際に膨張した冷媒が、室外空気から吸熱して蒸発する。
【００２５】
〈除霜運転〉
除霜運転は、暖房運転中に室外熱交換器（23）に付着した霜を融かすための運転であって、暖房運転中に必要に応じて実行される。除霜運転中の冷媒回路（20）では、四方切換弁（22）が第１状態に設定され、圧縮機（21）が作動する。また、除霜運転中には、室外ファン（15）および室内ファン（16）が停止する。そして、冷媒回路（20）では、圧縮機（21）から吐出された冷媒が室外熱交換器（23）へ供給され、室外熱交換器（23）に付着した霜が冷媒によって暖められて融解する。
【００２６】
−制御器の動作−
本実施形態の空気調和装置（10）は、上述した冷房運転時および暖房運転時において、空気調和装置（10）の消費電力を上限電力以下に制限するための節電モード（デマンド機能）を有している。ユーザーは、リモコン（33）を操作することによって、この節電モードを実行する否かを選択する。
【００２７】
〈節電モードの選択／実行指示〉
ユーザーは、先ず、選択部（38）において第１節電モードおよび第２節電モードから所望の節電モードを選択して記憶させる。具体的に、ユーザーは、メニュー／確定ボタン（43）を操作して、図３に示すような「節電モード選択」画面を液晶表示部（41）に表示させる。この状態で、ユーザーは、カーソルボタン（42）の左ボタン（42a）および右ボタン（42b）を操作して、選択したい節電モードにカーソルを移動させて、メニュー／確定ボタン（43）を押すことで選択された節電モードが選択部（38）に記憶される。これで、節電モードの選択操作が完了する。
【００２８】
次に、ユーザーは、冷房運転時および暖房運転時に節電モードを実行させる場合、カーソルボタン（42）の左ボタン（42a）を１回押す。これにより、選択部（38）に記憶された節電モードが、リモコン制御部（36）の指示部（39）から室内制御部（32）へ実行指示される。これで、節電モードの実行指示の操作が完了し、ユーザーの所望の節電モードが実行される。また、節電モードがリモコン制御部（36）の指示部（39）から室内制御部（32）へ実行指示されると、図４に示すようにリモコン（33）の液晶表示部（41）には「節電中」の文字が表示される。
【００２９】
ここで、指示部（39）は、図２に示すような「基本画面（待ち受け画面）」が液晶表示部（41）に表示されているときだけ、左ボタン（42a）が押されることで室内制御部（32）へ実行指示するように構成されている。つまり、左ボタン（42a）は、液晶表示部（41）に基本画面が表示されているときだけ、節電モードの実行指示機能が有効となる。そして、液晶表示部（41）に基本画面以外の画面（図３や図５に示すような画面）が表示されているときは、左ボタン（42a）は右ボタン（42b）、上ボタン（42c）および下ボタン（42d）と同様に画面上のカーソルを移動させる機能を発揮する。このように、左ボタン（42a）は、節電モードの実行指示機能とカーソルの移動機能の２つの機能を果たすものであり、液晶表示部（41）に表示される画面によって２つの機能が切り替わる。
【００３０】
本実施形態において、基本画面（待ち受け画面）は、図２に示すように、設定温度や冷房／暖房の区別、風量、風向などのユーザーが設定し得る空気調和装置（10）の複数の運転情報（運転状態）が表示された画面である。
【００３１】
以上のように、一度、選択部（38）において節電モードを選択すればその節電モードが記憶されるため、それ以降に行われる冷房運転および暖房運転では、ユーザーは、いちいち節電モードを選択する操作をしなくても、左ボタン（42a）を１回押すだけで所望の節電モードが実行されることとなる。
【００３２】
〈通常制御動作〉
ユーザーが節電モードを実行指示していない場合、制御器（30）は、通常制御動作を行う。この通常制御動作において、制御器（30）は、吸込温度センサ（35）の計測値（即ち、室内気温の実測値）が設定温度となるように、空気調和装置（10）の空調能力を制御する。この通常制御動作において、制御器（30）は、空気調和装置（10）の消費電力の制限は行わない。
【００３３】
先ず、冷房運転中における制御器（30）の通常制御動作について説明する。
【００３４】
制御器（30）は、吸込温度センサ（35）の計測値と、ユーザーがリモコン（33）へ入力した設定温度とを比較する。吸込温度センサ（35）の計測値が設定温度を上回っている場合、制御器（30）は、空調負荷に対して空調能力（冷房能力）が不足していると判断し、空調能力を増やすために圧縮機（21）の運転容量を増加させる。一方、吸込温度センサ（35）の計測値が設定温度を下回っている場合、制御器（30）は、空調負荷に対して空調能力（冷房能力）が過剰だとと判断し、空調能力を減らすために圧縮機（21）の運転容量を減少させる。
【００３５】
圧縮機（21）の運転容量を最低値に設定しても吸込温度センサ（35）の計測値が設定温度を下回っている場合は、制御器（30）が空気調和装置（10）をサーモオフ状態とする。具体的に、制御器（30）は、吸込温度センサ（35）の計測値が設定温度を下回ると、圧縮機（21）、室外ファン（15）、および室内ファン（16）を停止させる。その結果、室内ユニット（12）は、空気の冷却を停止する。また、冷房運転中に吸込温度センサ（35）の計測値（即ち、室内気温の実測値）が設定温度を上回ると、制御器（30）は、圧縮機（21）、室外ファン（15）、および室内ファン（16）を起動する。その結果、室内ユニット（12）は、空気の冷却を再開する。
【００３６】
次に、暖房運転中における制御器（30）の通常制御動作について説明する。
【００３７】
制御器（30）は、吸込温度センサ（35）の計測値と、ユーザーがリモコン（33）へ入力した設定温度とを比較する。吸込温度センサ（35）の計測値が設定温度を下回っている場合、制御器（30）は、空調負荷に対して空調能力（暖房能力）が不足していると判断し、空調能力を増やすために圧縮機（21）の運転容量を増加させる。一方、吸込温度センサ（35）の計測値が設定温度を上回っている場合、制御器（30）は、空調負荷に対して空調能力（暖房能力）が過剰だとと判断し、空調能力を減らすために圧縮機（21）の運転容量を減少させる。
【００３８】
圧縮機（21）の運転容量を最低値に設定しても吸込温度センサ（35）の計測値が設定温度を上回っている場合は、制御器（30）が空気調和装置（10）をサーモオフ状態とする。具体的に、制御器（30）は、吸込温度センサ（35）の計測値が設定温度を上回ると、圧縮機（21）、室外ファン（15）、および室内ファン（16）を停止させる。その結果、室内ユニット（12）は、空気の加熱を停止する。また、暖房運転中に吸込温度センサ（35）の計測値（即ち、室内気温の実測値）が設定温度を下回ると、制御器（30）は、圧縮機（21）、室外ファン（15）、および室内ファン（16）を起動する。その結果、室内ユニット（12）は、空気の加熱を再開する。
【００３９】
〈節電モードでの動作〉
ユーザーが節電モードを実行指示した場合、制御器（30）は第１節電モードと第２節電モードにおいて以下の動作を行う。
【００４０】
−−第１節電モードでの動作−−
第１節電モードが実行指示されると、制御器（30）は、制限動作を行う。この制限動作において、制御器（30）は、空気調和装置（10）の消費電力Ｐを上限電力Ｐu以下に制限しながら、設定温度に基づいて空気調和装置（10）の空調能力を制御する。上限電力Ｐuは、空気調和装置（10）の定格消費電力Ｐrにデマンド率Ｄ％を乗じた値である（Ｐu＝(Ｄ/100)Ｐr）。なお、空気調和装置（10）の定格消費電力は、日本工業規格（Japanese Industrial Standards）の「ＪＩＳ Ｂ ８６１５」に規定された定格運転条件で空気調和装置（10）を運転した場合の消費電力である。
【００４１】
ここで、空気調和装置（10）において最も多くの電力を消費する部品は圧縮機（21）であり、空気調和装置（10）の消費電力は圧縮機（21）の消費電力と実質的に等しい。そこで、本実施形態の制御器（30）は、圧縮機（21）の消費電力を空気調和装置（10）の消費電力とみなして制限動作を行う。つまり、この制御器（30）は、定格運転条件で空気調和装置（10）を運転した場合の圧縮機（21）の消費電力を、空気調和装置（10）の定格消費電力とみなしている。
【００４２】
また、上述したように、圧縮機（21）へは、インバータを介して電力が供給される。また、インバータの一次側の電圧は実質的に一定であるため、インバータの一次側の電流は圧縮機（21）の消費電力に比例する。そこで、制御器（30）は、圧縮機（21）に接続するインバータの一次側の電流を圧縮機（21）への供給電流Ｉとし、この供給電流Ｉを上限電流Ｉu以下に制限する。上限電流Ｉuは、定格運転条件で空気調和装置（10）を運転した場合における圧縮機（21）への供給電流Ｉrにデマンド率Ｄ％を乗じた値である（Ｉu＝(Ｄ/100)Ｉr）。圧縮機（21）への供給電流Ｉが上限電流Ｉu以下に制限されれば、空気調和装置（10）の消費電力Ｐも実質的に上限電力Ｐu以下に制限される。
【００４３】
制限動作中の制御器（30）は、圧縮機（21）への供給電流Ｉを監視しながら、空気調和装置（10）の空調能力を制御する。具体的に、圧縮機（21）への供給電流Ｉが上限電流Ｉu未満の場合、制御器（30）は、通常制御動作中と同様に、吸込温度センサ（35）の計測値が設定温度となるように、圧縮機（21）の運転容量を調節する。一方、圧縮機（21）への供給電流Ｉが上限電流Ｉuに達すると、制御器（30）は供給電流Ｉがこれ以上増加するのを禁止する。これにより、制限動作中の制御器（30）は、空調負荷に対して空調能力が不足している場合でも、圧縮機（21）の運転容量は増加しない。その結果、圧縮機（21）への供給電流Ｉは上限電流Ｉuに保持され、空気調和装置（10）の消費電力Ｐは上限電力Ｐuを超えない。
【００４４】
この第１節電モードでは、デマンド率Ｄ％はユーザーによって設定される。そして、デマンド率Ｄ％は、ユーザーによって設定変更されない限り、その値は固定される。以上の第１節電モードが実行されることによって、図５（Ｂ）に一例として示すように、空気調和装置（10）の消費電力Ｐは上限電力Ｐuを超えない。
【００４５】
−−第２節電モードでの動作−−
第１節電モードが実行指示されると、制御器（30）は、基本的に第１節電モードと同様の制限動作を行うが、デマンド率Ｄを実際の空気調和装置（10）の運転状態に応じて調節する一種の学習動作を行うようになっている。つまり、第２節電モードではデマンド率Ｄが自動的に調節される。以下に、デマンド率Ｄを調節する学習動作について説明する。
【００４６】
制御器（30）は、デマンド率Ｄ１に基づいて目標温度差ΔTRS'を算出する。また、制御器（30）は、デマンド率Ｄ１を用いて制限動作を行う。デマンド率Ｄ１は、初期値であり、例えばユーザーによって設定される。このデマンド率Ｄ１の元で上述した制限動作が行われると、例えば図５（Ａ）に示すように、空気調和装置（10）の消費電力Ｐは上限電力Ｐuに達することがないとする。この場合、空気調和装置（10）の消費電力Ｐは実質的に削減されていないこととなる。
【００４７】
そして、制御器（30）は、上記の制限動作中における吸込温度センサ（35）の計測値（即ち、室内気温Ｔr）と設定温度Ｔsの差ΔＴrsを監視し、一日（正確には、０時０分から２３時５９分までの間）における制限動作中の温度差ΔＴrsの最大値ΔＴrsMAXを決定する。
【００４８】
２３時５９分を過ぎると、制御器（30）は、目標温度差ΔTRS'と温度差の最大値ΔＴrsMAXの差ΔＴrs1を算出し、このΔＴrs1に基づいてデマンド率Ｄ１を調節する。具体的に、制御器（30）は、ΔＴrs1≦−０.５の場合はデマンド率Ｄ１を５％引き下げ（Ｄ１＝Ｄ１−５％）、ΔＴrs1≧０.５の場合はデマンド率Ｄ１を５％引き上げ（Ｄ１＝Ｄ１＋５％）、−０.５＜ΔＴrs1＜０.５の場合はＤ１を変更しない（Ｄ１＝Ｄ１）。そして、制御器（30）は、更新されたデマンド率Ｄ１を用いて目標温度差ΔTRS'を算出し直し、更新されたデマンド率Ｄ１を用いて翌日の制限動作を実行する。
【００４９】
室内気温Ｔrと設定温度Ｔsの差ΔＴrsは、空気調和装置（10）の空調能力と室内の空調負荷の関係を表している。つまり、温度差ΔＴrsが大きいほど、室内の空調負荷に対する空気調和装置（10）の空調能力の不足分が大きいことになる。また、一日における制限動作中の温度差ΔＴrsの最大値ΔＴrsMAXは、制限動作中に空気調和装置（10）が発揮した空調能力の最大値と、一日における室内の空調負荷の最大値との関係を表している。
【００５０】
一方、制御器（30）の学習動作では、一日における制限動作中の温度差ΔＴrsの最大値ΔＴrsMAXに基づいて、デマンド率Ｄ１が調節される。そして、制御器（30）が学習動作を継続的に繰り返し行うと、デマンド率Ｄ１は、室内の空調負荷の最大値に見合った値に次第に近付く。その結果、例えば図５（Ｂ）に示すように上限電力Ｐuが引き下げられ、制限動作中に空気調和装置（10）の消費電力が確実に削減される。
【００５１】
−実施形態の効果−
以上のように、本実施形態によれば、複数の節電モードが記憶された記憶部（37）と、ユーザーによって記憶部（37）の複数の節電モードのうち１つが選択されて記憶される選択部（38）と、ユーザーが押すことで、選択部（38）で記憶された節電モードが実行指示される左ボタン（42a）とを備えるようにした。そのため、ユーザーは所望の節電モードを１回選択しておけば、それ以降は、左ボタン（42a）を１回押すだけで所望の節電モードを実行させることができる。したがって、運転を行うたびにボタンを複数回押さなければならない従来に比べて、煩わしさを軽減することができる。その結果、節電モードを選択して実行させる際の操作性が向上する。
【００５２】
また、本実施形態では、液晶表示部（41）に基本画面（待ち受け画面）が表示されているときだけ、左ボタン（42a）を押すことで所望の節電モードが実行指示されるように構成したので、誤って節電モードが実行指示される事態を抑制することが可能である。
【００５３】
また、本実施形態では、節電モードとして、デマンド率Ｄを学習動作によって自動的に調節する第２節電モードが記憶されているので、空気調和装置（10）の消費電力を確実に削減することができる。
【００５４】
また、本実施形態では、左ボタン（42a）を本発明に係る操作部としたが、これは単なる一例であって、例えば操作部として右ボタン（42b）を採用してもよい。
【００５５】
また、本実施形態において、記憶部（37）に記憶される節電モードの数は２つに限らず３つ以上であってもよいことは勿論である。
【産業上の利用可能性】
【００５６】
本発明は、空気調和装置のリモコンについて有用である。
【符号の説明】
【００５７】
10        空気調和装置
33        リモコン
37        記憶部
38        選択部
41        液晶表示部（表示部）
42a       左ボタン（操作部）
【図１】
0005780172.tif 000002
【図２】
0005780172.tif 000003
【図３】
0005780172.tif 000004
【図４】
0005780172.tif 000005
【図５】
0005780172.tif 000006